(57)【要約】      （修正有）【課題】第１に段差のある踏板間を安全に歩行できる踏板隙間カバーを提供し、第２に足場横材と踏板との隙間が同じ幅でない場合にも対応できる踏板隙間カバーを提供する。【解決手段】天板部と脚部のふたつの部材に分離できる構成とし、適宜長さの脚柱２２を有する脚部を選択して天板１０に取付け、脚部には足場横材に掛止するフック２１を設け、踏板間の段差に柔軟に対応可能とした。また、足場横材と踏板との隙間が同じ幅でない場合にも対応するために、天板への脚部の取付箇所を、天板のセンター線上およびセンター線上からずらした位置に複数個設けた。【選択図】図１
0003188959.tif 000002
【実用新案登録請求の範囲】
【請求項１】
仮設足場の踏板間を塞ぐ踏板隙間カバーであって、
一方の面に連結受部を有する板状長方形の天板と、前記連結受部を介して前記天板と着脱可能な脚部とを有し、
該脚部は足場横材に掛止するフックと、前記連結受部と係合する連結部と、
一端に前記フックと他端に前記連結部とを有する脚柱を有することを特徴とする踏板隙間カバー。
【請求項２】
前記連結受部が、
前記天板の対辺中点を通る線上および該線の平行線上にそれぞれ一つ以上設けられたことを特徴とする第１項記載の踏板隙間カバー。
【請求項３】
前記天板が、
可撓性を有し、かつ断面が連結受部を有する面を下側とするアーチ状であり、
前記連結部が、
連結突起と該連結突起に隣接して柱部に周設された溝とからなり、
前記連結受部は、
前記連結突起を挿入可能な大きさの円形と、
前記溝と嵌合する大きさの円形とを組み合わせた瓢箪型の孔とを有することを特徴とする第１または第２項のいずれかに記載の踏板隙間カバー。
【考案の詳細な説明】
【技術分野】
【０００１】
本考案は、建設現場等の仮設足場において踏板間の隙間を覆う踏板隙間カバーに関し、さらに詳しくは、クサビ式足場において踏板間の隙間を覆う踏板隙間カバーに関する。
【背景技術】
【０００２】
建築現場等における仮設足場には、工法や使用部材によっていくつか種類がある。
本考案に係る踏板隙間カバーは、主に、クサビ式足場と呼ばれる足場において使用される。
【０００３】
クサビ式足場は、図１０に示すように、支柱３０の最下部に配置したジャッキベース（図示は省略）に、クサビ受け３１（「コマ」とも呼ばれる。）を長手方向に４５０メリメートルピッチで取り付けた支柱３０を差し込み、この支柱３０のクサビ受け３１に足場横材３２である手すりやブラケットにあるクサビを打ち込んで支柱間を繋ぐとともに、足場横材３２に踏板３３のフックを引っ掛けて渡して組み上げた足場である。
【０００４】
支柱３０に取り付けられているクサビ受け３１は、同一箇所においては支柱３０を中心として９０度ずつ４方向に計４個取り付けられているが、隣り合ったクサビ受け３１同士は、互い違いに４０ミリメートルの高さの差がある。このことから、クサビ受け３１にクサビ部分を打ち込んで固定した足場横材３２は、取り付け方向によっては高さの違いを生じ、足場横材３２に掛止した踏板３３も高さが異なることがある。
また、クサビ受け３１に足場横材３２が有するクサビを打ち込んで固定する際、その打ち込みの強さによっても足場横材３２の高さにばらつきが生じ、足場横材３２に掛止した踏板３３の高さが一定しないことも、踏板間の段差を生じさせる要因となっている。
さらに、踏板３３には足場横材３２に掛止するためのフックがついているが、そのフックの形状や詳細な寸法については取り決めがなく、製造者によって異なっていることも、足場横材３２に掛止した踏板３３の間に段差を生じさせる要因となっている。
【０００５】
踏板間に生じる隙間や段差につまずいて作業員が転倒したり、この隙間を通って落下した工具によって下方の作業員が怪我をしたりする危険があることから、踏板間の隙間を塞ぐ用具に関して、いくつかの発明や考案が提案されている。
【０００６】
特許文献１は、踏板間の隙間を完全に覆うことが可能で作業上の安全性が確保できるとともに、取り付け作業が容易であって外れにくく、しかも様々な広さの足場に対応することが可能な足場板隙間カバーの提供を目的とした発明であって、足場板間の隙間よりも大きい幅を有する板状部と該番上部の裏面に足場パイプに着脱可能に固定するための脚部からなる足場板隙間カバーの発明が記載されている。
【０００７】
しかし、特許文献１に記載の発明では、足場間の隙間を覆うことはできるが、踏板間の段差については考慮されていない。また、踏板間にある足場横材が、踏板間の中央に位置していない場合、この発明に係る足場板隙間カバーでは、いずれか片側の隙間を覆いきれないことがある。
【先行技術文献】
【特許文献】
【０００８】
【特許文献１】特開２００１−２８８８８４号公報
【考案の概要】
【考案が解決しようとする課題】
【０００９】
本考案が解決しようとする課題は、建築現場等の仮設足場における危険要因である踏板間を安全に通過できるようにするための踏板隙間カバーを提供することである。具体的には、段差のある踏板間を安全に歩行できる踏板隙間カバーの提供を第１の課題とし、足場横材と踏板との隙間が同じ幅でない場合にも対応できる踏板隙間カバーの提供を第２の課題とする。
【課題を解決するための手段】
【００１０】
第１の課題を解決するために、本考案に係る踏板隙間カバーは、天板と脚部のふたつの部材に分離できる構成としたことに特徴がある。
天板は、踏板間の隙間をカバーするために適した板状長方形とし、脚部の一端にある連結部を受ける連結受部を有する。連結受部は、ひとつ以上であればいくつ設けても良い。
脚部は、一端に足場横材に取り付けるためのフックと、該フックを一端に有するとともに他端には脚部を天板に連結するための連結部を有する脚柱とからなる。この連結部と、天板にある連結受部が係合することで、天板と脚部は着脱可能に連結される。
長さの異なる脚柱を有する脚部を複数用意し、踏板間の段差の大小や足場横材に取り付けた際の足場横材と本踏板隙間カバーとの離れなどを考慮し、適当な長さの脚柱からなる脚部を天板に連結し、踏板隙間カバーとして使用する。
【００１１】
第２の課題を解決するために、本考案に係る踏板隙間カバーは、天板の連結受部を複数適宜位置に設けたことを特徴とする。
複数の連結受部は、天板の対辺中点を通る中央線上および該中央線の平行線上に配置する。中央線と、該中央線の平行線上に連結受け部を設けたので、踏板と足場横材の間隔に応じて脚部の連結位置を変更することが可能である。
脚部を連結するために使用する連結受部は、一方の踏板と足場横材との間隔と他方の踏板と足場横材との間隔が等しい場合には中央線上の連結受部を使用し、一方の踏板と足場横材との間隔が他方に比べて広い場合には、平行線上に設けた連結受部を使用すると良い。
同一線上に配された連結受部は、天板部中央から等距離に配置するとなお良い。
【００１２】
また天板は、脚部が連結される側と反対の面側が凸状となるようにアーチ状に形成すると良い。天板をアーチ状にすると、天板下面側に空間が大きくできるので、踏板間の段差がある場合に、天板を平板状とした場合に比べて、天板端が踏板に接し易くなる。これにより、利用者が天板と踏板との隙間に躓く危険性を抑え、天板を踏んだ際のずれも小さくすることができる。
また天板の素材は、成形後の天板が可撓性を有することとなる素材により成形しても良い。これにより、踏んだ際に天板が撓み、踏板との密着度が増える。
連結部の構造として、脚部の突端に設けられた連結突起と、同連結突起に隣接して脚部に周設された溝を有する構成としても良い。この構成とした場合には、連結突起を天板の連結受部に挿入し、溝を連結受部と係合させることにより、天板と脚部を連結する。
【考案の効果】
【００１３】
本考案の踏板隙間カバーは、脚部と天板が着脱可能であり、脚柱の長さの異なる脚部を複数作成しておき、踏板間の段差に応じて脚部を取り替えることで、さまざまな段差に対応できる。
また、天板に脚部の連結受部を複数有する考案では、一方の踏板と足場横材との間が広く、他方の踏板と足場横材との隙間が狭いような場合に、天板に脚部を連結する位置を替えることで隙間を残さずに覆うことができるという効果がある。
【図面の簡単な説明】
【００１４】
【図１】図１は本考案に係る踏板隙間カバーを示した斜視説明図である。
【図２】図２は脚部が取り付けられる面と反対側の面の天板を表した説明図である。
【図３】図３は連結受部の説明図である。
【図４】図４は支柱の長さの異なる複数の脚部の斜視説明図である。
【図５】図５は天板の断面図である。
【図６】図６は脚部と連結受部とが連結した状態の説明図である。
【図７】図７は本考案に係る踏板隙間カバーの他の実施例を示した斜視説明図である。
【図８】図８は踏板隙間カバーの装着状態を表す説明図である。
【図９】図９は足場において踏板隙間カバーの横材への装着状態を表した説明図である。
【図１０】図１０はクサビ式足場を表す説明図である。
【考案を実施するための形態】
【００１５】
図を参照しながら、本考案に係る踏板隙間カバーを説明する。もちろん、本考案に係る踏板隙間カバーは、この実施例に限定されない。
本考案に係る踏板隙間カバーは、図において瓢箪型孔１２と筒体１１とで表される連結受部１３を複数設けた天板１０と、足場横材３２にとりつけるためのフック２１を有する脚部２０との２つの部分に分離可能である。
【実施例１】
【００１６】
本実施例では、脚部を連結する連結受部１３を天板１０に４つ設けた踏板隙間カバーについて説明する。
【００１７】
図１および図２に示す天板１０は、短辺が２６センチメートルで長辺が４２センチメートル、厚さが２ないし４ミリメートルの矩形の板体であり、短辺の中点が頂点となるようなアーチ形状である。以下では、天板１０のアーチ形状の凸側の面を上面として説明する。
【００１８】
天板１０の上面の両短辺の中点を結んだ線（以下「中心線」）上に、当該中心線上の中点から等しい位置に、２つの連結受部１３ａおよび連結受部１３ｂを設け、さらに、各連結受部(１３ａ、１３ｂ)に並べて同一方向へ同一距離離して連結受部１３ｃと連結受部１３ｄを設ける(図２参照)。したがって，連結受部１３ｃと連結受部１３ｄは中心線の平行線上に位置することになる。
連結受部１３は、図５に表したように，天板１０を貫通する角形孔１４と、天板の下面側に角形孔１４と同形の開放口を有する筒体１１とを、筒体１１の内側が角形孔１４につながるようにする。
【００１９】
筒体１１は、天板１０との接点部から下端までの長さを２５〜３０ミリメートル程度とし、筒体１１の下端は、天板１０の下面側長辺下端から、数ミリメートル程度出っ張るようにする。（図５参照）
【００２０】
筒体１１の内側には、瓢箪型穴１２を有する５ミリメートル程度の厚さの小板体１５（図３参照）を、筒体１１の下端から天板１０に向かって１０〜１９ミリメートル程度の位置に設けてある(図５参照)。
図３に示すように、小板体１５に設けられる瓢箪型穴１２は大円形穴１６aと小円形穴１６ｂを一部重ねた形状である（図３において破線は円を表すための仮想線である）。大円形穴１６ａは脚部２０の連結突起２４が通る大きさであり、小円形穴１６ｂは、脚柱２２と連結突起２４との間に形成される溝２３が嵌って止まる大きさである。
【００２１】
小板体１５の瓢箪型穴１２は、相対する連結受部(１３ａに対して１３ｂ、１３ｃに対して１３ｄ)どうしの小円形穴１６ｂが向き合うようにすると良い。こうすることで、天板１０に対して同一方向に力がかかっても脚部が天板からはずれにくくなる。
【００２２】
以上の形状を備える天板１０は、可撓性を有する材料によって一体成形するとなお良い。
【００２３】
図４（（ａ）または（ｂ））に示すように、脚部２０は、ブラケット等の足場横材３２を把持するフック２１と脚柱２２と円筒形の連結突起２４とを一体成形する。連結突起２４の先端から５ミリメートルの位置に、深さ２ミリメートル、幅５ミリメートルの溝２３を周設する。溝２３によって、連結突起部２４にはくびれができ、このくびれが小板体１５の小円形孔穴１６ｂに嵌ることで、天板１０と脚部２０は連結される。
【００２４】
脚柱２２の長さは、少なくとも、脚部２０を天板１０に連結したときに、筒体１１とフック２１が干渉しない長さとする。また脚柱２２の太さは、天板１０の連結受部１３の筒体１１に挿入可能で、かつ筒体１１内でスライド可能であるサイズとする。
【００２５】
フック２１は、図４に示すように、円の一部を切り欠いた円弧の両端に外側に向けたつば部をとりつけた断面を有し、足場横材３２を５０ミリメートルの幅に亘って把持する形状である。
【００２６】
以上の形状を備える脚部２０は、一体成形とする。
【００２７】
次に、本実施例に係る踏板隙間カバーの使用方法を説明する。
脚柱２２の長さを変えた数種類の脚部２０を用意する(図４参照)。このとき、同じ長さの脚柱２２を有する脚部２０が複数個となるようにする。
天板１０の連結受部１３に脚部２０を連結して踏板隙間カバーとして使用する。
【００２８】
天板１０に連結する脚部２０は、当該踏板隙間カバーを足場横材３２に取り付けたときに、天板１０と踏板３３との隙間が小さくなるような長さの脚柱２２を有するものを選択することが望ましい。また、天板１０への脚部２０の連結位置は、足場横材３２と各踏板間の隙間が同程度の場合は天板１０の中心線上に設けた連結受部１３ａと連結受部１３ｂを使用し、足場横材３２と各踏板間の隙間に偏りがある場合は、中心線からずらした連結受部１３ｃと連結受部１３ｄを使用すると良い。
【００２９】
脚部２０を天板１０に連結するには、連結突起２４を天板１０の筒体１１内にある瓢箪型穴１２の大円形孔１２ａに挿入し、脚柱２２の溝２３が瓢箪形孔１２の小円形孔１２ｂに嵌るように脚部全体をスライドさせて掛止する。
図６に表すように、筒体１１は、脚部２０の脚柱２２の一部を覆い、脚部２０のぐらつきを抑える効果もある。
【００３０】
天板１０に脚部２０を連結した本件の踏板隙間カバーは、踏板３３の間にあるブラケット等の足場横材３２に脚部２０のフック２１を係止して取り付ける。
本考案に係る踏板隙間カバーは、図９のように、数個を並べて使用しても良い。
【実施例２】
【００３１】
図７が、本考案に係る踏板間隙間カバーの別な実施例である。
実施例１と異なる点は、連結受部１３が２個であること、および天板１０の形状が方形である点である。その他、実施例１と重複する事項については省略する。
【００３２】
連結受部１３は、ひとつを天板１０の中心に設け、もうひとつを、該連結受部からいずれかの辺方向に平行移動した位置に設ける。
【００３３】
この場合の使用方法も、実施例１と同様であるが、いずれか一方の連結受部１３にのみ脚部２０を連結して使用する点が異なる(図７参照)。
【符号の説明】
【００３４】
１０  天板
１１  筒体
１２  瓢箪型孔
１３  連結受部
１４  角形孔
１５  小板体
１６ａ  大円形孔
１６ｂ  小円形孔
２０  脚部
２１  フック
２２  脚柱
２３  溝
２４  連結突起
３０  足場支柱
３１  クサビ受け
３２  足場横材
３３  踏板
【図１】
0003188959.tif 000003
【図２】
0003188959.tif 000004
【図３】
0003188959.tif 000005
【図４】
0003188959.tif 000006
【図５】
0003188959.tif 000007
【図６】
0003188959.tif 000008
【図７】
0003188959.tif 000009
【図８】
0003188959.tif 000010
【図９】
0003188959.tif 000011
【図１０】
0003188959.tif 000012